(57)【要約】【課題】放射線を適切に検出できない状態で放射線が照射されても放射線が被写体まで到達しないようにすることを目的とする。【解決手段】放射線発生部から照射される放射線を、前記放射線発生部と連携することなく放射線検出部が検出して行う撮影を制御する撮影制御装置であって、前記放射線検出部の状態に基づいて撮影可否を判定する判定手段と、前記判定手段による判定結果に応じて、前記放射線発生部から放射される放射線の照射範囲を制御する制御手段と、を有することを特徴とする。【選択図】図１
2016030089.tif 000002
【特許請求の範囲】
【請求項１】
放射線発生部から照射される放射線を、前記放射線発生部と連携することなく放射線検出部が検出して行う撮影を制御する撮影制御装置であって、
前記放射線検出部の状態に基づいて撮影可否を判定する判定手段と、
前記判定手段による判定結果に応じて、前記放射線発生部から放射される放射線の照射範囲を制御する制御手段と、
を有することを特徴とする撮影制御装置。
【請求項２】
前記放射線発生部から照射される放射線を遮蔽する遮蔽手段を有し、
前記制御手段は、前記遮蔽手段を駆動させることで前記放射線の照射範囲を制御することを特徴とする請求項１に記載の撮影制御装置。
【請求項３】
前記判定手段により撮影不可と判定された場合、
前記制御手段は、前記遮蔽手段を駆動させ、前記放射線発生部から照射される放射線を遮蔽することを特徴とする請求項２に記載の撮影制御装置。
【請求項４】
前記遮蔽手段は、放射線の照射範囲を絞るコリメータ、または、放射線の照射経路に挿抜される遮蔽部材であることを特徴とする請求項２または３に記載の撮影制御装置。
【請求項５】
前記放射線検出部に照射される放射線のセンサ照射範囲を予め取得する取得手段と、
前記取得手段により取得されたセンサ照射範囲に基づいて、前記放射線検出部により検出される放射線の検出方式を変更する変更手段と、
を有することを特徴とする請求項１ないし４の何れか１項に記載の撮影制御装置。
【請求項６】
前記変更手段は、
前記取得手段により取得されたセンサ照射範囲に基づいて前記放射線検出部により検出される放射線の検出レベルおよび閾値の少なくとも何れか一方を変更することを特徴とする請求項５に記載の撮影制御装置。
【請求項７】
前記変更手段は、
前記取得手段により取得されたセンサ照射範囲が小さい場合には前記放射線検出部により検出される放射線の検出レベルまたは閾値をセンサ照射範囲が大きい場合に比べて小さくし、センサ照射範囲が大きい場合には前記放射線検出部により検出される放射線の検出レベルまたは閾値をセンサ照射範囲が小さい場合に比べて大きくするように変更することを特徴とする請求項６に記載の撮影制御装置。
【請求項８】
前記変更手段は、
前記放射線検出部により検出される放射線の検出方式を、特定画素を先に読み出す方式または信号線に流れる微小電流を検出する方式の何れかに変更することを特徴とする請求項５に記載の撮影制御装置。
【請求項９】
放射線発生部から照射される放射線を、前記放射線発生部と連携することなく放射線検出部が検出して行う撮影を制御する撮影制御方法であって、
前記放射線検出部の状態に基づいて撮影可否を判定する判定ステップと、
前記判定ステップによる判定結果に応じて、前記放射線発生部から放射される放射線の照射範囲を制御する制御ステップと、
を有することを特徴とする撮影制御方法。
【請求項１０】
放射線発生部から照射される放射線を、前記放射線発生部と連携することなく放射線検出部が検出して行う撮影を制御するためのプログラムであって、
前記放射線検出部の状態に基づいて撮影可否を判定する判定ステップと、
前記判定ステップによる判定結果に応じて、前記放射線発生部から放射される放射線の照射範囲を制御する制御ステップと、
をコンピュータに実行させるためのプログラム。
【発明の詳細な説明】
【技術分野】
【０００１】
本発明は、撮影制御装置、撮影制御方法およびプログラムに関する。
【背景技術】
【０００２】
医療Ｘ線撮影においてＴＦＴアクティブマトリクス基板上に蛍光体を配置し、Ｘ線を電荷信号として蓄積し、それをデジタル信号に変換してＸ線画像を提供するＦＰＤ（フラットパネルディテクタ）が実用化されている。
特許文献１には、キャリブレーションの際にＦＰＤに照射されるＸ線の照射範囲が狭かった場合にＸ線の照射範囲を制御する制御装置が開示されている。
特許文献２には、被検体内に存在する所定の関心位置近傍の範囲にＸ線が照射されるようにコリメータ部を調整する医用画像診断装置が開示されている。
【０００３】
一般にＦＰＤはフォトダイオードで光子を電子に変換するが、実際は光子がない場合に暗電荷が画素毎に異なる量で蓄積しているため、Ｘ線撮影前に絶えずＴＦＴをオンにして暗電荷を排出するリセット動作を準備駆動として行っている。したがって、所定回数のリセット動作をしたり、所定時間が経過したりするまでＸ線画像を撮影するための準備時間が必要である。
【先行技術文献】
【特許文献】
【０００４】
【特許文献１】特開２０１０−９４３６９号公報
【特許文献２】特開２０１３−２２１５５号公報
【発明の概要】
【発明が解決しようとする課題】
【０００５】
ＦＰＤには、Ｘ線発生部との間でインターフェースを設けずＸ線発生部と連携することなくＦＰＤ側でＸ線の照射を検出し自動的に蓄積動作を開始するものが提案されている。このようなＦＰＤに対して上述した準備時間中にＸ線が照射された場合、暗電荷にムラや残像が生じて画像にアーチファクトが発生したり、Ｘ線の誤検出が発生したりする虞がある。
【０００６】
本発明は、上述したような問題点に鑑みてなされたものであり、放射線発生部と連携することなく放射線検出部が放射線を検出する場合に、放射線を適切に検出できない状態で放射線が照射されても放射線が被写体まで到達しないようにすることを目的とする。
【課題を解決するための手段】
【０００７】
本発明の撮影制御装置は、放射線発生部から照射される放射線を、前記放射線発生部と連携することなく放射線検出部が検出して行う撮影を制御する撮影制御装置であって、前記放射線検出部の状態に基づいて撮影可否を判定する判定手段と、前記判定手段による判定結果に応じて、前記放射線発生部から放射される放射線の照射範囲を制御する制御手段と、を有することを特徴とする。
【発明の効果】
【０００８】
本発明によれば、放射線を適切に検出できない状態で放射線が照射されても放射線が被写体まで到達しないようにすることができる。
【図面の簡単な説明】
【０００９】
【図１】撮影制御装置の構成を示す図である。
【図２】第１の実施形態の撮影制御装置の処理を示すフローチャートである。
【図３】撮影制御装置の各構成部の処理を示すタイミングチャートである。
【図４】撮影制御装置の各構成部のシーケンスを示す図である。
【図５】第２の実施形態の撮影制御装置の処理を示すフローチャートである。
【図６】検出方式の変更の一例を説明するための図である。
【発明を実施するための形態】
【００１０】
以下、図面を参照して、本発明の好適な実施形態について説明する。本実施形態では、放射線画像の撮影を制御する撮影制御装置として、Ｘ線画像撮影制御装置１０を適用する場合について説明する。
（第１の実施形態）
Ｘ線画像撮影制御装置１０は、被検者を透過したＸ線を検出することで撮影したＸ線画像をフィルムあるいはディスプレイに出力する。本実施形態のＸ線画像撮影制御装置１０は、Ｘ線を適切に検出できない状態でＸ線が照射されたときに遮蔽手段がＸ線を遮蔽することでＸ線センサまで到達しないようにするものである。
【００１１】
図１は、Ｘ線画像撮影制御装置１０の構成を示す図である。
Ｘ線画像撮影制御装置１０は、Ｘ線発生装置１００を備える。Ｘ線発生装置１００はＸ線発生部１０１、コリメータ１０２、コリメータ制御部１０３を有している。
Ｘ線発生部１０１は、放射線発生部の一例であって、検者による曝射ボタンを介した操作に応じ、ＣＰＵ１１５の制御に基づいてＸ線を被検者（被写体）Ｓに照射する。Ｘ線発生部１０１にはＸ線管球を用いることができる。
コリメータ１０２は、遮蔽手段の一例であって、Ｘ線発生部１０１から照射されたＸ線の照射範囲を絞ることで、Ｘ線の一部または全部を遮蔽する。コリメータ制御部１０３は、コリメータ１０２を駆動することでＸ線発生部１０１から照射されるＸ線の一部または全部を遮蔽して被写体に対する照射範囲を制御する。
【００１２】
Ｘ線画像撮影制御装置１０は、Ｘ線センサ１０４、Ｘ線センサ制御部１０５、撮影可否信号出力部１０６、コリメータ指示出力部１０７、コリメータ照射範囲記憶部１０８を備える。また、コリメータプリセット部１０９、撮影可時プリセット部１１０、撮影不可時プリセット部１１１、Ｘ線自動検出部１１２、データ収集部１１３、画像処理部１１４、ＣＰＵ１１５、記憶部１１６、操作部１１７、表示部１１８を備える。また、センサ照射範囲取得部１１９、Ｘ線自動検出方式変更部１２０等を備える。
【００１３】
Ｘ線センサ１０４は、放射線検出部の一例であって、Ｘ線発生部１０１から照射されて被検者Ｓを透過したＸ線の２次元の強度分布に応じた光電変換を行い、アナログ画像信号を取得する。
Ｘ線センサ制御部１０５は、Ｘ線センサ１０４の駆動を制御する。また、Ｘ線センサ制御部１０５は、Ｘ線センサ１０４による撮影の準備駆動を制御したり、Ｘ線センサ１０４に対して撮影可否の状態遷移を制御したりする。
ここで、本実施形態のＸ線センサ１０４は、Ｘ線発生部１０１との間でインターフェースが設けられていない。すなわち、Ｘ線センサ１０４は、Ｘ線発生部１０１と連携することなくＸ線を検出することで自動的に蓄積動作を開始する。
【００１４】
撮影可否信号出力部１０６は、Ｘ線センサ１０４の撮影可否の状態に応じ、Ｘ線センサ制御部１０５の制御に基づいて撮影可否信号を出力する。
コリメータ指示出力部１０７は出力された撮影可否信号に応じ、撮影可時プリセット部１１０または撮影不可時プリセット部１１１に設定された設定情報を読み出してコリメータ制御部１０３に出力する。
【００１５】
コリメータ照射範囲記憶部１０８は、撮影部位情報や年齢情報等に関連付けられたコリメータ照射範囲や、ユーザにより決定されたコリメータ照射範囲を記憶する。ここで、コリメータ照射範囲とは、コリメータ１０２が開口したときの開口範囲をいう。コリメータプリセット部１０９は、撮影可時プリセット部１１０および撮影不可時プリセット部１１１にコリメータ１０２の設定情報を設定する。具体的は、撮影可時プリセット部１１０にはコリメータ照射範囲記憶部１０８に記憶されたコリメータ照射範囲になるようなコリメータ１０２の設定情報が設定される。一方、撮影不可時プリセット部１１１にはコリメータ１０２が全閉状態になるようなコリメータ１０２の設定情報が予め設定される。
【００１６】
Ｘ線自動検出部１１２は、Ｘ線センサ１０４を介してＸ線を検出することに応じ、現在設定されている検出方式をＸ線センサ制御部１０５に出力する。
データ収集部１１３は、Ｘ線センサ１０４で取得されたアナログ画像信号をデジタル画像信号（画像データともいう）に変換する。データ収集部１１３は、ＣＰＵ１１５の制御に基づいてバス１２１を介して各部にデジタル画像信号を供給する。
画像処理部１１４は、データ収集部１１３から供給されたデジタル画像信号に対して、オフセット補正や欠陥補正を行う。
【００１７】
ＣＰＵ１１５は、検者による操作部１１７を介した操作に応じ、記憶部１１６に格納されたプログラムを実行することでＸ線画像撮影制御装置１０全体を制御する。
記憶部１１６は、ＣＰＵ１１５が実行するプログラムを格納したり、ＣＰＵ１１５のワークメモリとしてデータを一時的に記憶したりする。
操作部１１７は、Ｘ線発生部１０１からＸ線の照射を指示する曝射ボタン、各種操作ボタンが含まれる。
表示部１１８は、データ収集部１１３から供給されたデジタル画像信号や、画像処理部１１４により処理されたデジタル画像信号を表示する。
【００１８】
センサ照射範囲取得部１１９は、Ｘ線センサ１０４の受光面に対する照射範囲（センサ照射範囲）を取得する。
Ｘ線自動検出方式変更部１２０は、センサ照射範囲取得部１１９により取得されたセンサ照射範囲に基づいてＸ線自動検出部１１２に設定されている検出方式を変更する。
【００１９】
図２は、Ｘ線画像撮影制御装置１０の処理を示すフローチャートである。このフローチャートの処理は、Ｘ線画像撮影制御装置１０が起動したときに開始され、記憶部１１６に格納されたプログラムをＣＰＵ１１５が実行することにより実現される。
ステップＳ２０１では、コリメータ制御部１０３は撮影不可時プリセット部１１１の設定情報に基づいてコリメータ１０２が全閉状態になるように制御する。
具体的には、Ｘ線センサ制御部１０５はＸ線センサ１０４が準備駆動している間、Ｘ線センサ１０４を撮影不可に状態遷移させると共に、撮影可否信号出力部１０６を介して撮影不可信号を出力する。コリメータ指示出力部１０７は撮影不可信号を受信することに応じて、撮影不可時プリセット部１１１に設定された設定情報、すなわち全閉状態の情報を読み出して出力する。コリメータ制御部１０３は全閉状態の情報を受信することに応じて、コリメータ１０２を全閉状態になるように駆動する。
なお、撮影不可時プリセット部１１１には全閉状態を設定する場合に限られず、コリメータ１０２の特定領域が開口されるような設定情報を設定してもよい。この場合、Ｘ線センサ制御部１０５は、Ｘ線センサ１０４を介して特定領域を通したＸ線の照射を検出することをトリガーとしてコリメータ制御部１０３が処理を開始する。
【００２０】
また、ＣＰＵ１１５は撮影不可信号の出力に応じて、表示部１１８に撮影不可である旨を表示したり、音や光を用いて撮影不可である旨を出力したりする。Ｘ線センサ１０４が表示部を有する場合には、Ｘ線センサ制御部１０５はＸ線センサ１０４の表示部に撮影不可である旨を表示してもよい。
【００２１】
ステップＳ２０２では、検者は被検者Ｓの撮影準備を行う。具体的には、検者は被検者Ｓを実際にＸ線センサ１０４上に位置させる。なお、検者は操作部１１７を介して撮影部位情報や年齢情報等を入力するだけであってもよい。
ステップＳ２０３では、検者は被検者Ｓの撮影部位からコリメータ照射範囲を決定する。コリメータ照射範囲記憶部１０８は決定されたコリメータ照射範囲を記憶する。コリメータプリセット部１０９は記憶されたコリメータ照射範囲に基づいて撮影可時プリセット部１１０に設定情報を設定する。すなわち、コリメータプリセット部１０９は決定されたコリメータ照射範囲になるようにコリメータ１０２の設定情報を設定する。
なお、コリメータ照射範囲記憶部１０８には撮影部位情報や年齢情報等に関連付けてコリメータ照射範囲が記憶されている。したがって、ステップＳ２０２において撮影部位情報や年齢情報等が入力された場合には、コリメータプリセット部１０９は入力された情報に関連付けられたコリメータ照射範囲に基づいて撮影可時プリセット部１１０に設定情報を設定する。
コリメータプリセット部１０９が撮影可時プリセット部１１０に設定情報を設定した後、コリメータ制御部１０３は再びコリメータ１０２を全閉状態に駆動する。
【００２２】
ステップＳ２０４では、コリメータ制御部１０３はＸ線センサ１０４が撮影可に状態遷移するのを待機する。Ｘ線センサ１０４は準備駆動として撮影前に絶えずＴＦＴをオンにして暗電荷を排出するリセット動作を行っている。Ｘ線センサ制御部１０５はＸ線センサ１０４が所定回数のリセット動作の終了を検出したり、リセット動作の開始から所定時間の経過を検出したりすることで、Ｘ線センサ１０４を撮影可に状態遷移させる。Ｘ線センサ制御部１０５は状態遷移に応じて撮影可否信号出力部１０６を介して撮影可信号を出力する。コリメータ制御部１０３は撮影可信号を受信することに応じて、Ｘ線センサ１０４が撮影可に状態遷移したことを判定する。なお、Ｘ線センサ１０４が準備駆動している時間帯を撮影不可の時間帯という。
【００２３】
ステップＳ２０５では、コリメータ制御部１０３はＸ線センサ１０４が撮影可に状態遷移したか否かを、上述したように撮影可信号を受信したか否かで判定する。この処理は、判定手段による処理の一例に対応する。判定結果に応じて撮影可に状態遷移した場合にはステップＳ２０６に進み、撮影可に状態遷移していない場合には撮影可への状態遷移を待機する。
なお、本実施形態では、Ｘ線センサ１０４とＸ線発生部１０１とが連携していないためにＸ線センサ１０４が撮影不可の状態であっても、検者による曝射ボタンを介した操作に応じてＸ線発生部１０１からＸ線が照射されてしまう。このような場合であっても、上述したステップＳ２０１においてコリメータ１０２は全閉状態に駆動されているのでＸ線を遮断して被写体Ｓまで到達しないようにすることができる。
【００２４】
ステップＳ２０６では、コリメータ制御部１０３は撮影可時プリセット部１１０に設定されている設定情報に基づいてコリメータ１０２を制御する。具体的には、コリメータ指示出力部１０７が撮影可信号を受信することにより、撮影可時プリセット部１１０に設定された設定情報を読み出して出力する。コリメータ制御部１０３は設定情報を受信することでステップＳ２０３において決定したコリメータ照射範囲になるようにコリメータ１０２を駆動する。
【００２５】
ステップＳ２０７では、Ｘ線発生部１０１は検者による曝射ボタンを介した操作に応じてＸ線をＸ線センサ１０４に向かって照射する。Ｘ線発生部１０１から照射されたＸ線はコリメータ１０２のコリメータ照射範囲を通じて被検者Ｓに照射される。Ｘ線自動検出部１１２はＸ線センサ１０４を介してＸ線を検出することに応じ、設定されている検出方式をＸ線センサ制御部１０５に出力する。Ｘ線センサ制御部１０５は受信した検出方式でＸ線センサ１０４による蓄積動作を開始させる。Ｘ線センサ制御部１０５はＸ線センサ１０４を介してＸ線の２次元の強度分布に応じた光電変換を行い、アナログ画像信号を取得することでＸ線を撮影する。
ステップＳ２０８では、コリメータ制御部１０３は撮影終了した後に撮影不可時プリセット部１１１の設定情報に基づいてコリメータ１０２が全閉状態になるように制御する。この処理は、ステップＳ２０１の処理と同様である。したがって、Ｘ線発生部１０１からＸ線が照射された場合であっても、コリメータ１０２によりＸ線を遮断して被写体Ｓまで到達しないようにすることができる。
【００２６】
次に、Ｘ線センサ制御部１０５、コリメータ制御部１０３およびＸ線発生部１０１の各処理について説明する。
図３は、Ｘ線センサ制御部、コリメータ制御部およびＸ線発生部のタイミングチャートである。図４は、Ｘ線センサ制御部、コリメータ制御部およびＸ線発生部のシーケンスを示す図である。
まず、Ｘ線画像撮影制御装置１０の起動時には、Ｘ線センサ１０４は撮影不可の状態である。すなわち、図３のチャート３０１に示すように、Ｘ線センサ制御部１０５は撮影不可信号を出力する。このとき、Ｘ線発生部１０１からＸ線が照射されると、Ｘ線センサ１０４はＸ線を自動検出できない上に、準備駆動としてリセット動作を続けているために残像等のアーチファクトが生じる虞がある。
そのため、図３のチャート３０３に示すように、コリメータ制御部１０３は撮影不可時プリセット部１１１に設定された全閉状態の設定情報を受信し（図４のＳ４０１）、設定情報に基づいてコリメータ１０２を全閉状態に駆動する（図４のＳ４０２）。したがって、Ｘ線発生部１０１からＸ線が照射されても、Ｘ線センサ１０４にＸ線が到達しないためにアーチファクトの発生を防止することができる。
【００２７】
次に、検者は被検者ＳをＸ線センサ１０４上に位置させたり、操作部１１７を操作したりすることで撮影準備を行う。Ｘ線センサ制御部１０５はＸ線センサ１０４に撮影の準備駆動を開始させる（図４のＳ４０３）。Ｘ線センサ制御部１０５は、リセット動作の終了を検出して、Ｘ線センサ１０４を撮影可に状態遷移させる（図４のＳ４０４）。Ｘ線センサ１０４は、起動してから略１０秒以内に状態遷移する。図３のチャート３０２に示すように、Ｘ線センサ制御部１０５は状態遷移に応じて撮影可信号を出力する（図４のＳ４０５）。
【００２８】
図３のチャート３０４に示すように、コリメータ制御部１０３は撮影可時プリセット部１１０に設定されている設定情報に基づいてコリメータ１０２を駆動する（図４のＳ４０６）。コリメータ制御部１０３はコリメータ１０２の駆動が完了すると駆動完了信号を出力する（図４のＳ４０７）。ＣＰＵ１１５は駆動完了信号に応じて表示部１１８に撮影可である旨を表示したり、Ｘ線センサ制御部１０５はＸ線センサ１０４の表示部に撮影可である旨を表示したりする。
【００２９】
検者による照射ボタンを介して操作に応じて図３のチャート３０５に示すようにＸ線発生部１０１はＸ線を照射する（図４のＳ４０８）。なお、Ｘ線発生部１０１は、このタイミングに限られず、任意のタイミングでの検者による曝射ボタンを介した操作に応じてＸ線を照射可能である。
Ｘ線センサ制御部１０５は、Ｘ線センサ１０４による蓄積動作を開始させ、Ｘ線センサ１０４を介してＸ線の２次元の強度分布に応じた光電変換を行い、アナログ画像信号を取得することでＸ線を撮影する（図４のＳ４０９）。
【００３０】
Ｘ線センサ制御部１０５は撮影を終了すると撮影終了信号（あるいは撮影不可信号）を出力する（図４のＳ４１０）。コリメータ指示出力部１０７は撮影終了信号を受信することにより、撮影不可時プリセット部１１１に設定された全閉状態の設定情報を読み出して出力する。コリメータ制御部１０３は全閉状態の設定情報を受信することで、コリメータ１０２を全閉状態に駆動する。その後、Ｘ線センサ制御部１０５は次の撮影を待機する。
【００３１】
このように本実施形態によれば、Ｘ線センサ１０４が撮影不可の状態でＸ線発生部１０１からＸ線が照射されたとしてもコリメータ１０２によりＸ線の照射を遮蔽するためにＸ線が被写体Ｓまで到達しないようにすることができる。したがって、Ｘ線センサ１０４における残像等のアーチファクトを低減でき、被検者Ｓに対する不要なＸ線の照射を防止することができる。
【００３２】
（第２の実施形態）
本実施形態では、センサ照射範囲に基づいてＸ線自動検出方式変更部１２０がＸ線自動検出部１１２に設定されている検出方式を変更する場合について説明する。なお、Ｘ線自動検出部１１２の検出方式には画素を用いる方式、信号線を用いる方式、特定領域のみを用いる方式、検出レベル／閾値の少なくとも何れか一方を変更する方式等がある。
図５は、Ｘ線画像撮影制御装置の処理を示すフローチャートである。なお、ステップＳ５０１〜ステップＳ５０３、ステップＳ５０６〜ステップＳ５１０までの処理は第１の実施形態と同様であり、適宜その説明を省略する。
【００３３】
ステップＳ５０４では、センサ照射範囲取得部１１９はＸ線センサ１０４の受光面に対する照射範囲、すなわちセンサ照射範囲を取得する。センサ照射範囲取得部１１９は撮影可時プリセット部１１０の設定情報に基づくコリメータ１０２のコリメータ照射範囲、および、Ｘ線発生部１０１からＸ線センサ１０４までの距離Ｌ１とＸ線発生部１０１からコリメータ１０２までの距離Ｌ２との比からセンサ照射範囲を算出する。センサ照射範囲取得部１１９は距離Ｌ１および距離Ｌ２を予め記憶された記憶部１１６から取得したり、図示しない距離センサが測定することで取得したりすることができる。
なお、コリメータ１０２が可視光照射部を備えている場合、検者はＸ線センサ１０４に照射した可視光から照射範囲を読み取り、その照射範囲を操作部１１７を介して入力することで、センサ照射範囲取得部１１９がセンサ照射範囲を取得することができる。
【００３４】
ステップＳ５０５では、Ｘ線自動検出方式変更部１２０はセンサ照射範囲取得部１１９により取得されたセンサ照射範囲に基づいて、Ｘ線自動検出部１１２に設定されている検出方式を変更する。したがって、ステップＳ５０９において、Ｘ線自動検出部１１２はＸ線センサ１０４を介してＸ線を検出することに応じ、変更された検出方式をＸ線センサ制御部１０５に出力する。Ｘ線センサ制御部１０５は変更された検出方式でＸ線センサ１０４による蓄積動作を開始させる。
ここで、センサ照射範囲を予め取得することで、Ｘ線の検出方式を変更する上で利点がある。すなわち、Ｘ線を感度よく検出する場合には振動や外来ノイズ等による誤検出の虞がある。一方、Ｘ線の感度を鈍くして検出する場合にはＸ線が照射されてから検出するまでに時間遅れが発生して無駄になるＸ線が生じたり、検出できなかったＸ線によるアーチファクトが生じたりする虞がある。したがって、予め取得したセンサ照射範囲に基づいて検出方式を変更したり、検出レベル／閾値の少なくとも何れか一方を変更したりすることで、適切にＸ線を検出することができる。
【００３５】
図６は、センサ照射範囲に応じて閾値を変更する一例を示す図である。
ここでは、センサ照射範囲が大きい場合には閾値Ａのように閾値が高くなるように変更し、センサ照射範囲が小さい場合には閾値Ｃのように閾値が低くなるように変更する。
すなわち、Ｘ線センサ１０４へのセンサ照射範囲が大きい場合は検出信号に対する閾値が高くても、Ｘ線自動検出部１１２は照射されたＸ線を十分に検出することができ、振動や外来ノイズ等による誤検出を防止することができる。
一方、Ｘ線センサ１０４へのセンサ照射範囲が小さい場合は検出信号に対する閾値を低くすることで、振動や外来ノイズ等による誤検出の可能性があるものの、照射されたＸ線を十分に早く検出することができる。
なお、センサ照射範囲に応じて変更する検出方式には、特定画素を先に読み出す方式と、信号線に流れる微小電流を検出する方式とを変更する場合も含まれる。
【００３６】
このように、本実施形態によれば、予めセンサ照射範囲を取得し、取得したセンサ照射範囲に応じてＸ線センサ１０４による検出方式を変更することでＸ線を最適に検出することができる。例えば、センサ照射範囲に応じて閾値を高くすることで誤検出を防止でき、閾値を小さくすることでＸ線を検出し易くすることができる。
【００３７】
（第３の実施形態）
第１および第２の実施形態では、遮蔽手段としてコリメータ１０２を用いる場合について説明したが、この場合に限られない。本実施形態では、コリメータ１０２とは別部材の遮蔽部材を用いる場合について説明する。
遮蔽部材は、Ｘ線発生部１０１と被検者Ｓとの間であってＸ線の照射経路に挿抜可能に配置され、コリメータ制御部１０３によって挿抜が制御される。具体的には、コリメータ制御部１０３は遮蔽部材をＸ線センサ１０４の撮影不可時にＸ線発生部１０１と被検者Ｓとの間に挿入することで、Ｘ線発生部１０１から照射されるＸ線を遮蔽する。
このように、本実施形態によれば、コリメータ１０２とは別部材の遮蔽部材を用いても上述した実施形態と同様に、Ｘ線センサ１０４が適切に検出できない状態でＸ線が照射されても被写体Ｓまで到達しないようにすることができる。
【００３８】
以上、本発明を種々の実施形態と共に説明したが、本発明はこれらの実施形態にのみ限定されるものではなく、本発明の範囲内で変更等が可能であり、上述した実施形態を適時組み合わせてもよい。
例えば、画像処理部１１４が画像処理により残像等のアーチファクトを低減できるようなＸ線撮影制御装置にでも適用することができる。
例えば、Ｘ線センサ１０４はＦＰＤに限られず、Ｘ線発生部１０１と連携することなくＸ線が検出されることで自動的に蓄積動作を開始するＸ線センサに適用することができる。
【００３９】
また、本発明は、以下の処理を実行することによっても実現される。すなわち、上述した実施形態の機能を実現するプログラムを、ネットワークまたは各種記憶媒体を介してＸ線画像撮影制御装置１０に供給し、Ｘ線画像撮影制御装置１０のコンピュータ（ＣＰＵ等）がプログラムを読み出して実行する処理である。
【符号の説明】
【００４０】
１０１：Ｘ線発生部（放射線発生部）  １０２：コリメータ  １０３：コリメータ制御部  １０４：Ｘ線センサ（放射線検出部）  １１９：センサ照射範囲取得部  １２０：Ｘ線自動検出方式変更部
【図１】
2016030089.tif 000003
【図２】
2016030089.tif 000004
【図３】
2016030089.tif 000005
【図４】
2016030089.tif 000006
【図５】
2016030089.tif 000007
【図６】
2016030089.tif 000008